(57)【要約】【課題】ドライバーとしても兼用することができる工具を提供する。【解決手段】工具を構成する第一の部材２０１及び第二の部材２０２の各々の先端には、第一の部材２０１及び第二の部材２０２が相互に接したときに、第一の部材２０１及び第二の部材２０２が協働してプラスのドライバーを構成する凹部２１１、２１２、２１３、２２１、２２２、２２３が形成されている。【選択図】図２
2008183686.tif 000002
【特許請求の範囲】
【請求項１】
第一の部材と、第二の部材と、からなる工具であって、
前記第一の部材と前記第二の部材とを回動中心点を中心として相互に回動可能であるように連結し、前記第一の部材及び前記第二の部材の一端側においてその工具の機能を実行する機能部を構成し、前記第一の部材及び前記第二の部材の他端側において使用者が前記工具を保持するための把手を構成する工具において、
前記第一の部材及び前記第二の部材の各々の前記一端側の先端は、前記第一の部材及び前記第二の部材が相互に接したときに、前記第一の部材及び前記第二の部材が協働してプラスまたはマイナスのドライバーを構成するように、形成されていることを特徴とする工具。
【請求項２】
前記第一の部材及び前記第二の部材の各々の前記一端側の先端に形成された複数の凹部により前記プラスまたはマイナスのドライバーが構成されることを特徴とする請求項１に記載の工具。
【請求項３】
前記工具はラジオペンチであることを特徴とする請求項１または２に記載の工具。
【発明の詳細な説明】
【技術分野】
【０００１】
本発明は複数の機能を有する多機能工具に関する。
【背景技術】
【０００２】
従来、原則的には、工具には一つの機能しか付与されておらず、その機能以外の機能の実施を必要とする場合には、当該機能を有する工具を用意することが必要であった。
【０００３】
例えば、ニッパには、線状部材その他の目的物を切断する機能のみが付与されている。
【０００４】
例外的に、ペンチには、ワイヤーその他の線状部材を挟み込む機能の他に、その線状部材を切断する機能も付与されている。これは、これら二つの機能が、同一の動作を行うことにより、実行可能であるからである。すなわち、ペンチを構成する二つの部材を相互に開いた後、相互に閉じるという動作を行うことにより、目的物を挟み込むこともできるし、あるいは、目的物を切断することもできるためである（ただし、目的物を挟み込むための領域と目的物を切断するための領域とは相互に異なっている）。
【０００５】
なお、先行技術の調査を行った結果、本発明に対する適当な先行技術文献が発見されなかったため、特許文献は提示しない。
【特許文献１】なし
【発明の開示】
【発明が解決しようとする課題】
【０００６】
工具の中で最も使用頻度が高い工具はドライバーであると一般に言われている。
【０００７】
しかしながら、従来は、ドライバーはそれ単独で用意することが必要であり、他の工具で兼用することは不可能であった。
【０００８】
本発明は、このような問題点に鑑みてなされたものであり、ドライバーとしても兼用することができる工具を提供することを目的とする。
【課題を解決するための手段】
【０００９】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１０】
上記の目的を達成するため、本発明は、第一の部材（２０１）と、第二の部材（２０２）と、からなる工具であって、前記第一の部材（２０１）と前記第二の部材（２０２）とを回動中心点を中心として相互に回動可能であるように連結し、前記第一の部材（２０１）及び前記第二の部材（２０２）の一端側においてその工具の機能を実行する機能部（２０１ａ、２０２ａ）を構成し、前記第一の部材（２０１）及び前記第二の部材（２０２）の他端側において使用者が前記工具を保持するための把手（２０１ｃ、２０２ｃ）を構成する工具において、前記第一の部材（２０１）及び前記第二の部材（２０２）の各々の前記一端側の先端は、前記第一の部材（２０１）及び前記第二の部材（２０２）が相互に接したときに、前記第一の部材（２０１）及び前記第二の部材（２０２）が協働してプラスまたはマイナスのドライバーを構成するように、形成されていることを特徴とする工具（２００、２５０、３００）を提供する。
【００１１】
例えば、前記第一の部材（２０１）及び前記第二の部材（２０２）の各々の前記一端側の先端に形成された複数の凹部により前記プラスまたはマイナスのドライバーが構成される。
【００１２】
前記工具（２００、２５０、３００）としては、例えば、ラジオペンチがある。
【発明の効果】
【００１３】
本発明に係る工具においては、第一の部材及び第二の部材の先端において、第一の部材と第二の部材とが相互に接したときに、第一の部材と第二の部材とが協働してプラスまたはマイナスのドライバーを構成する。このため、本発明に係る工具は、その工具本来の機能を発揮するための工具として使用することができるのみならず、第一の部材と第二の部材とを相互に閉じた状態において、プラスまたはマイナスのドライバーとしても兼用することができる。このため、別個にプラスまたはマイナスのドライバーを用意する必要がなくなる。
【発明を実施するための最良の形態】
【００１４】
（第一の実施形態）
図１は本発明の第一の実施形態に係るラジオペンチ２００の分解斜視図である。
【００１５】
本実施形態に係るラジオペンチ２００は、第一の部材２０１と、第二の部材２０２と、止めピン２０４と、から構成されている。
【００１６】
止めピン２０４は、図１に示すように、ピン軸２０４ａと、ピン軸２０４ａの一端においてピン軸２０４ａと同心に形成され、ピン軸２０４ａよりも大きな直径を有するヘッド２０４ｂと、から構成されている。
【００１７】
ヘッド２０４ｂにはマイナスのドライバーを挿入するためのスリット２０４ｃが形成されており、ピン軸２０４ａの他端には先端から所定の距離にわたって雄ネジ溝２０４ｄが切られている。
【００１８】
第一の部材２０１及び第二の部材２０２は、例えば、鋼鉄製であり、以下に述べるように、協働してラジオペンチ２００を構成する。
【００１９】
第一の部材２０１は、第二の部材２０２と協働して対象物（図示せず）を挟み込む機能を実行する挟み込み領域を形成する先端部分２０１ａと、第二の部材２０２と回動自在に連結するためのほぼ円筒形状の連結部分２０１ｂと、把手を構成する把手部分２０１ｃと、から構成されている。
【００２０】
同様に、第二の部材２０２は、第一の部材２０１と協働して対象物（図示せず）を挟み込む機能を実行する挟み込み領域を形成する先端部分２０２ａと、第一の部材２０１と回動自在に連結するための連結部分２０２ｂと、把手を構成する把手部分２０２ｃと、からなる。
【００２１】
第一の部材２０１の先端部分２０１ａのうち、第二の部材２０２に対向する面には、挟み込む対象物（図示せず）との間の摩擦力を増すための断面がギザギザ状の鋸歯状面２０７が形成されている。
【００２２】
同様に、第二の部材２０２の先端部分２０２ａのうち、第一の部材２０１に対向する面には、挟み込む対象物（図示せず）との間の摩擦力を増すための断面がギザギザ状の鋸歯状面２０８が形成されている。
【００２３】
第一の部材２０１の連結部分２０１ｂ及び第二の部材２０２の連結部分２０２ｂはともにほぼ円筒状に形成されている。第二の部材２０２の連結部分２０２ｂには、先端部分２０２ａ及び把手部分２０２ｃと比較して、高さが低くなっている凹部領域２０５が形成されている。この凹部領域２０５に第一の部材２０１の連結部分２０１ｂが嵌合し、第一の部材２０１の連結部分２０１ｂと第二の部材２０２の連結部分２０２ｂとが連結される。
【００２４】
第一の部材２０１の連結部分２０１ｂには第一の部材２０１の回動中心点が存在し、同様に、第二の部材２０２の連結部分２０２ｂには第二の部材２０２の回動中心点が存在している。双方の回動中心点は同一の垂線Ｘ上に位置している。
【００２５】
第一の部材２０１には、回動中心点を中心とし、連結部分２０１ｂの厚さ方向に貫通する孔２０６が形成されている。孔２０６はピン軸２０４ａの直径と同一の内径を有している。このため、止めピン２０４は孔２０６に嵌合することができるようになっている。
【００２６】
第二の部材２０２には、連結部分２０２ｂにおいて、第二の部材２０２の回動中心点を中心として、すなわち、垂線Ｘを中心として貫通孔２０９が形成されている。
【００２７】
貫通孔２０９はピン軸２０４ａの直径と同一の内径を有している。このため、止めピン２０４は貫通孔２０９に嵌合することができるようになっている。
【００２８】
第一の部材２０１と第二の部材２０２とは、以下のようにして、連結される。
【００２９】
まず、第一の部材２０１の連結部分２０１ｂを第二の部材２０２の凹部領域２０５に嵌め合わせる。
【００３０】
次いで、止めピン２０４を孔２０６及び貫通孔２０９に通し、貫通孔２０９の裏側において、止めピン２０４の雄ネジ溝２０４ｄをナット（図示せず）に螺合させる。
【００３１】
これにより、第一の部材２０１と第二の部材２０２とが相互に回転可能な状態で固定される。
【００３２】
第一の部材２０１及び第二の部材２０２の各先端部分２０１ａ、２０２ａが対象物（図示せず）を挟み込むための挟み込み領域を形成し、第一の部材２０１及び第二の部材２０２の把手部分２０１ｃ、２０２ｃは使用者がラジオペンチ２００を保持するための把手を構成する。
【００３３】
図２は、第一の部材２０１及び第二の部材２０２を相互に閉じた状態において、本実施形態に係るラジオペンチ２００を第一の部材２０１及び第二の部材２０２の先端部分２０１ａ、２０１ｂの方向から見たときの正面図である。
【００３４】
図１及び図２に示すように、第一の部材２０１の先端部分２０１ａの先端には、３つの凹部２１１、２１２、２１３が形成されている。
【００３５】
図２に示すように、凹部２１１は鋸歯状面２０７に沿って第一の部材２０１の上方部分において形成されている。凹部２１２は第一の部材２０１の側面において形成されている。また、凹部２１３は鋸歯状面２０７に沿って第一の部材２０１の下方部分において形成されている。
【００３６】
同様に、第二の部材２０２の先端部分２０２ａの先端には、３つの凹部２２１、２２２、２２３が形成されている。
【００３７】
図２に示すように、凹部２２１は鋸歯状面２０８に沿って第二の部材２０２の上方部分において形成されている。凹部２２２は第二の部材２０２の側面において形成されている。また、凹部２２３は鋸歯状面２０８に沿って第二の部材２０２の下方部分において形成されている。
【００３８】
第一の部材２０１に形成されている凹部２１１、２１２、２１３と第二の部材２０２に形成されている凹部２２１、２２２、２２３とはそれぞれ左右対称の形状をなしているとともに、左右対称に位置している。
【００３９】
このため、第一の部材２０１に形成されている凹部２１１と第二の部材２０２に形成されている凹部２２１とは、第一の部材２０１と第二の部材２０２とが相互に接したときに、協働して一つの凹部を形成する。第一の部材２０１と第二の部材２０２とが協働して形成する凹部は凹部２１２または第二の部材２０２の凹部２２２と同一の形状である。
【００４０】
同様に、第一の部材２０１に形成されている凹部２１３と第二の部材２０２に形成されている凹部２２３とは、第一の部材２０１と第二の部材２０２とが相互に接したときに、協働して一つの凹部を形成する。第一の部材２０１と第二の部材２０２とが協働して形成する凹部は凹部２１２または第二の部材２０２の凹部２２２と同一の形状である。
【００４１】
このように、第一の部材２０１の先端部分２０１ａに凹部２１１、２１２、２１３が形成され、第二の部材２０２の先端部分２０２ｂに凹部２２１、２２２、２２３が形成されることにより、図２に示すように、第一の部材２０１と第二の部材２０２とを相互に閉じたときに、ラジオペンチ２００の先端には、十字型の突起が形成される。
【００４２】
この十字型の突起は本実施形態に係るラジオペンチ２００をプラスのドライバーとしても使用することを可能にする。
【００４３】
以上のように、本実施形態に係るラジオペンチ２００はラジオペンチとして使用することができるのみならず、第一の部材２０１と第二の部材２０２とを相互に閉じた状態において、プラスのドライバーとしても兼用することができる。このため、別個にプラスのドライバーを用意する必要がなくなる。
【００４４】
なお、第一の部材２０１に形成される凹部及び第二の部材２０２に形成される凹部の数は各３個に限定されるものではなく、また、第一の部材２０１に形成される凹部及び第二の部材２０２に形成される凹部の位置は図２に示した位置には限定されない。
【００４５】
図３は、本発明の第一の実施形態の変形例に係るラジオペンチ２５０の正面図である。
【００４６】
図３に示すように、本変形例に係るラジオペンチ２５０においては、第一の部材２０１には２個の凹部２５１、２５２が形成され、第二の部材２０２には２個の凹部２５３、２５４が形成されている。
【００４７】
凹部２５１は第一の部材２０１の上半分の領域において形成され、鋸歯状面２０７を底面として一定の厚さを有する平板状の部分２６１と、第一の部材２０１の上半分と下半分の境界において平板状の部分２６１と直交する平板状の部分２６２とを画定している。
【００４８】
凹部２５２は第一の部材２０１の下半分の領域において形成され、鋸歯状面２０７を底面として一定の厚さを有する平板状の部分２６３と、第一の部材２０１の上半分と下半分の境界において平板状の部分２６３と直交する平板状の部分２６２とを画定している。
【００４９】
平板状の部分２６１と平板状の部分２６３とは同じ厚さを有している。また、平板状の部分２６２は凹部２５１及び２５２の双方により画定されている。
【００５０】
凹部２５３は第二の部材２０２の上半分の領域において形成され、鋸歯状面２０８を底面として一定の厚さを有する平板状の部分２６４と、第二の部材２０２の上半分と下半分の境界において平板状の部分２６４と直交する平板状の部分２６５とを画定している。
【００５１】
凹部２５４は第二の部材２０２の下半分の領域において形成され、鋸歯状面２０８を底面として一定の厚さを有する平板状の部分２６６と、第二の部材２０２の上半分と下半分の境界において平板状の部分２６６と直交する平板状の部分２６５とを画定している。
【００５２】
平板状の部分２６４と平板状の部分２６６とは同じ厚さを有している。また、平板状の部分２６５は凹部２５３及び２５４の双方により画定されている。
【００５３】
第一の部材２０１に形成された二つの凹部２５１、２５２及び第二の部材２０２に形成された二つの凹部２５３、２５４により、図３に示すように、第一の部材２０１と第二の部材２０２とを相互に閉じたときに、ラジオペンチ２５０の先端には、十字型の突起が形成される。
【００５４】
第一の実施形態に係るラジオペンチ２００と同様に、この十字型の突起は本変形例に係るラジオペンチ２５０をプラスのドライバーとしても使用することを可能にする。
【００５５】
（第二の実施形態）
図４は、本発明の第二の実施形態に係るラジオペンチ３００の部分的な斜視図である。
【００５６】
本実施形態に係るラジオペンチ３００は、第一の実施形態に係るラジオペンチ２００と比較して、第一の部材２０１の先端部分２０１ａ及び第二の部材２０２の先端部分２０１ｂに形成される凹部の形状のみが異なり、その他は同一の形状を有している。このため、第一の実施形態に係るラジオペンチ２００と同一の構成要素に対しては同一の参照符号を用いる。
【００５７】
図５は、第一の部材２０１及び第二の部材２０２を相互に閉じた状態において、本実施形態に係るラジオペンチ３００を第一の部材２０１及び第二の部材２０２の先端部分２０１ａ、２０１ｂの方向から見たときの正面図である。
【００５８】
図４及び図５に示すように、第一の部材２０１の先端部分２０１ａの先端には、鋸歯状面２０７を底面として一定の厚さを有する平板状の部分３１０を形成するような凹部３０１が形成されている。
【００５９】
同様に、第二の部材２０２の先端部分２０２ａの先端には、鋸歯状面２０８を底面として一定の厚さを有する平板状の部分３２０を形成するような凹部３０２が形成されている。
【００６０】
図５に示すように、第一の部材２０１の平板状の部分３１０と第二の部材２０２の平板状の部分３２０とは、第一の部材２０１と第二の部材２０２とを相互に閉じたときに、協働して平板状の突起を形成する。すなわち、第一の部材２０１と第二の部材２０２とを相互に閉じたときに、ラジオペンチ３００の先端には、平板状の突起が形成される。
【００６１】
この平板状の突起は本実施形態に係るラジオペンチ３００をマイナスのドライバーとしても使用することを可能にする。
【００６２】
以上のように、本実施形態に係るラジオペンチ３００はラジオペンチとして使用することができるのみならず、第一の部材２０１と第二の部材２０２とを相互に閉じた状態において、マイナスのドライバーとしても兼用することができる。このため、別個にマイナスのドライバーを用意する必要がなくなる。
【００６３】
上述の第一及び第二の実施形態においては、第一の部材２０１と第二の部材２０２とを回動可能に連結するために止めピン２０４を用いたが、第一の部材２０１と第二の部材２０２とを回動可能に連結するための手段は止めピン２０４には限定されない。第一の部材２０１と第二の部材２０２とを回動可能に連結することができるものである限り、任意の手段を選択することが可能である。
【産業上の利用可能性】
【００６４】
上記の第一及び第二の実施形態においては、本発明を適用する対象として、ラジオペンチを選択したが、本発明の適用対象はラジオペンチには限定されない。
【００６５】
第一の部材と、第二の部材と、からなる工具であって、第一の部材と第二の部材とを回動中心点を中心として相互に回動可能であるように連結し、第一の部材及び第二の部材の一端側においてその工具の機能を実行する機能部（上述の第一の実施形態における先端部分２０１ａ、２０２ａに相当する部分）を構成し、第一の部材及び第二の部材の他端側において使用者が工具を保持するための把手（上述の第一の実施形態における把手部分２０１ｃ、２０２ｃに相当する部分）を構成する工具であれば、いかなる工具に対しても本発明を適用することが可能である。
【００６６】
例えば、ラジオペンチの他に、通常のペンチ、ニッパ、ケーブルカッター、エンビ管カッター、ダクトカッター、プライヤーなどに本発明を適用することが可能である。
【００６７】
なお、ラジオペンチとは先端が先細になっている形状を有するものを指し、通常のペンチとはラジオペンチ以外のものを指す。
【図面の簡単な説明】
【００６８】
【図１】本発明の第一の実施形態に係るラジオペンチの分解斜視図である。
【図２】本発明の第一の実施形態に係るラジオペンチの第一の部材及び第二の部材を相互に閉じた状態において、本実施形態に係るラジオペンチを第一の部材及び第二の部材の先端部分の方向から見たときの正面図である。
【図３】本発明の第一の実施形態の変形例に係るラジオペンチの正面図である。
【図４】本発明の第二の実施形態に係るラジオペンチの部分的な斜視図である。
【図５】本発明の第二の実施形態に係るラジオペンチの第一の部材及び第二の部材を相互に閉じた状態において、本実施形態に係るラジオペンチを第一の部材及び第二の部材の先端部分の方向から見たときの正面図である。
【符号の説明】
【００６９】
２００  本発明の第一の実施形態に係るラジオペンチ
２０１  第一の部材
２０１ａ  先端部分
２０１ｂ  連結部分
２０１ｃ  把手部分
２０２  第二の部材
２０２ａ  先端部分
２０２ｂ  連結部分
２０２ｃ  把手部分
２０４  止めピン２０４
２０４ａ  ピン軸
２０４ｂ  ヘッド
２０４ｃ  スリット
２０４ｄ  雄ネジ溝
２０５  凹部領域
２０６  孔
２０７、２０８  鋸歯状面
２０９  貫通孔
２１１、２１２、２１３、２２１、２２２、２２３  凹部
２５０  本発明の第一の実施形態の変形例に係るラジオペンチ
２５１、２５２、２５３、２５４  凹部
２６１、２６２、２６３、２６４、２６５、２６６  平板状の部分
３００  本発明の第二の実施形態に係るラジオペンチ
３０１、３０２  凹部
３１０、３２０  平板状の部分
【図１】
2008183686.tif 000003
【図２】
2008183686.tif 000004
【図３】
2008183686.tif 000005
【図４】
2008183686.tif 000006
【図５】
2008183686.tif 000007